(57)【要約】【課題】主光源と副光源を有する照明装置において、空間的開放感、奥行き感、明るさ感などに係わる照明演出効果を有し、かつ、所望の照度分布を実現可能な意匠性に優れ発光効率のよい照明装置を提供する。【解決手段】照明装置１１００は、第一発光部１００（主発光部）を有する円筒筐体１１０と、円筒筐体１１０の側面から伸びる数本の支軸３００で支軸先端筐体２１０の位置で支持され、第一発光部１００とは配光特性の異なる光を発する第二発光部２００（副発光部）とを備える。第二発光部２００は、支軸３００の先端で支持される円環形状である。第二発光部２００は、第二光源部としてＬＥＤが使用されると共に導光体２３０を有する。導光体２３０は、複数の支軸３００の先端に配置された第二光源部の光を伝搬しつつ空間に照射する。【選択図】図１
2014112556.tif 000002
【特許請求の範囲】
【請求項１】
空間に光を照射する照明装置において、
第一筐体と、前記第一筐体に配置されて光を発する第一光源部と、前記第一筐体に配置され、前記第一光源部の発する光を所定の配光特性に変換し、前記空間に照射する第一照射部とを有し、前記第一筐体の底面から前記配光特性の光を前記第一照射部によって前記空間に照射する第一発光部と、
一方の端部が前記第一筐体の側面に取り付けられ、他方の端部が前記空間に伸びる複数の軸であって前記複数の軸の各軸は、前記一方の端部が、前記第一筐体の前記側面の周方向に沿って取り付けられる複数の軸と、
前記複数の軸の各他方の端部に接続することで前記複数の軸によって支持されると共に、前記第一照射部の前記配光特性と異なる配光特性の光を前記空間に照射し、かつ、前記第一筐体の側面の周囲を一周する連続形状である第二発光部であって、光を発する第二光源部と、前記第二光源部の光を入射して表面発光することにより、前記第一照射部の前記配光特性と異なる配光特性の光を前記空間に照射する透明性の導光体とを有する第二発光部と
を備え、
前記照明装置は、
側方から見た場合に、前記導光体が前記第一筐体の底面に相当する領域を隠すと共に、  前記第二発光部は、
前記導光体の周囲に、前記導光体から照射された光を反射する反射部材を持たないことを特徴とする照明装置。
【請求項２】
前記第二発光部が有する前記導光体は、
帯状であることを特徴とする請求項１に記載の照明装置。
【請求項３】
前記第二発光部は、
前記第一筐体に対する位置を調整可能なことを特徴とする請求項１または２のいずれかに記載の照明装置。
【請求項４】
前記第二光源部は、
前記複数の軸のうちの少なくともいずれかの前記軸の前記他方の端部の位置に配置されたことを特徴とする請求項１〜３のいずれかに記載の照明装置。
【請求項５】
前記照明装置は、
前記軸を３本以上備え、
前記第二発光部は、
前記導光体が、前記他方の端部の位置に前記第二光源部が配置された前記軸である第二光源部配置軸の前記他方の端部と、前記第二光源部配置軸に前記周方向で隣接する少なくとも一方の前記軸の前記他方の端部とを、連結することを特徴とする請求項４記載の照明装置。
【請求項６】
前記第二発光部は、
前記導光体が、前記第二光源部配置軸の前記他方の端部と、前記第二光源部配置軸に前記周方向で前方に隣接する前記軸の前記他方の端部とを連結すると共に、前記第二光源部配置軸の前記他方の端部と、前記第二光源部配置軸に前記周方向で後方に隣接する前記軸の前記他方の端部とを連結することを特徴とする請求項５記載の照明装置。
【請求項７】
前記第二発光部は、さらに、
放熱性部材と、
前記第二光源部として、一方の面である実装面に複数のＬＥＤが実装された２つのＬＥＤ実装基板と
を備え、
２つの前記ＬＥＤ実装基板は、
前記実装面に対して裏面となる背面が前記放熱性部材を挟み、かつ、前記放熱性部材に密着し、
一方のＬＥＤ実装基板は、
各ＬＥＤの発光面が、前記第二光源部配置軸の前記他方の端部と、前記第二光源部配置軸に前記周方向で前方に隣接する前記軸の前記他方の端部とを連結する前記導光体の端部の端面に対向して配設され、
他方のＬＥＤ実装基板は、
各ＬＥＤの発光面が、前記第二光源部配置軸の前記他方の端部と、前記第二光源部配置軸に前記周方向で後方に隣接する前記軸の前記他方の端部とを連結する前記導光体の端部の端面に対向して配設されたことを特徴とする請求項６記載の照明装置。
【請求項８】
前記第一光源部と前記第二光源部とは、
光色が異なることを特徴とする請求項１〜７のいずれかに記載の照明装置。
【請求項９】
前記第一光源部と前記第二光源部とは、
個別に調光可能であることを特徴とする請求項１〜８のいずれかに記載の照明装置。
【請求項１０】
前記第一光源部と前記第二光源部との、少なくともいずかは、
有機ＥＬを使用したことを特徴とする請求項１〜９のいずれかに記載の照明装置。
【請求項１１】
前記第二発光部は、
前記第一筐体の側面の周囲を一周する連続形状の導光体と、
前記複数の軸によって支持されると共に、前記導光体の連続形状に対応した形状をなし、前記導光体を支持する導光体支持部と、
前記第二光源部として、前記導光体支持部の下面と前記導光体とによって上下方向から挟まれ、かつ、前記導光体支持部の周方向に沿って複数配置され、発光面が前記導光体に対向する複数のＬＥＤとを備え、
前記導光体は、
前記第二光源部の光を入射して発光することにより、前記第一照射部の前記配光特性と異なる配光特性の光を前記空間に照射することを特徴とする請求項１〜１０のいずれかに記載の照明装置。
【請求項１２】
前記導光体支持部は、
前記導光体から照射された光を通過させる複数の穴が形成されたことを特徴とする請求項１１記載の照明装置。
【発明の詳細な説明】
【技術分野】
【０００１】
本発明は、発光ダイオード（ＬＥＤ；Ｌｉｇｈｔ・Ｅｍｉｔｔｉｎｇ・Ｄｉｏｄｅ）や有機ＥＬ光源などの固体光源を用いた照明器具に関する。
【背景技術】
【０００２】
これまで照明空間の演出などを目的とし、主光源と副光源との２種光源を備え持つ構成の照明装置（照明器具）の提案が幾つかなされている。そのうち光源に小型、長寿命といった特徴を持つＬＥＤを用いた先行技術例が、例えば特許文献１に示されている。
【０００３】
特許文献１は、第一光源（ＬＥＤ）を収納する広面積の筐体の周縁部に第二光源（ＬＥＤを用いたライトガイド）を設けた構成とし、発光素子固有の特質を活かしたデザインを備えた、優れた照明器具を提供するとしている。また、従来の照明器具と比較して、照明器具の外周縁（ライトガイド）が線状に光りＬＥＤ発光素子の特質を活かした斬新な見栄えが提供されるとしている。
【先行技術文献】
【特許文献】
【０００４】
【特許文献１】特開２００８−２９３７６９号公報
【特許文献２】特開２００５−１５８４９６号公報
【特許文献３】特開２００８−２５８０８０号公報
【特許文献４】特開２００９−０２１２００号公報
【特許文献５】特開２００６−２３６７８２号公報
【特許文献６】特開２０１０−２０５４３９号公報
【特許文献７】登録実用新案第３１６１４２５号公報
【発明の概要】
【発明が解決しようとする課題】
【０００５】
（１）前述の特許文献１では、装置自体が扁平であり、広い面積を有する第一光源収納筐体に対し、周縁部のライトガイド発光部の面積はごく限られる。このため、本器具の下方から見込んだ際には、光量面、光の広がり面、光色面などを考慮しても、ライトガイド自体の有する演出効果が大きいとは言いがたい。
（２）また同文献で示される、例えば、吊り下げ使用するような場合には、器具全体が大型化（大面積化）する傾向があるため、空間的な圧迫感や、さらに広い面積の主光源部分に眩しさを強く感じられる懸念がある。
【０００６】
（３）とくに本文献のライトガイド部は、ＬＥＤ光をライトガイド表面凹部から入光させ、さらに小ＬＥＤ数でガイド全体に光を導光し側面発光させようとする構成である。そのため、ライトガイド入光面でのＬＥＤ反射光比率が多く入光効率が悪いという課題がある。
（４）また、このライトガイド自体は、長いだけではなく相当に薄いため、湾曲して光の導光効率の低下を招くという課題がある。
（５）さらに、ライトガイド片側側面の光のみを利用するため、本器具を側方から見込んだ場合にも、とくにライトガイド部は全体的に暗く、しかも光むら（輝度むら）を生じやすい構成である。この点から見ても、望む照明演出効果が得られにくいという課題がある。
【０００７】
本発明は、主光源と副光源とを有する照明装置において、空間的開放感、奥行き感、明るさ感などに係わる照明演出効果を備えた照明装置の提供を目的とする。
【課題を解決するための手段】
【０００８】
この発明の照明装置は、
空間に光を照射する照明装置において、
第一筐体と、前記第一筐体に配置されて光を発する第一光源部と、前記第一筐体に配置され、前記第一光源部の発する光を所定の配光特性に変換し、前記空間に照射する第一照射部とを有し、前記第一筐体の底面から前記配光特性の光を前記第一照射部によって前記空間に照射する第一発光部と、
一方の端部が前記第一筐体の側面に取り付けられ、他方の端部が前記空間に伸びる複数の軸であって前記複数の軸の各軸は、前記一方の端部が、前記第一筐体の前記側面の周方向に沿って取り付けられる複数の軸と、
前記複数の軸の各他方の端部に接続することで前記複数の軸によって支持されると共に、前記第一照射部の前記配光特性と異なる配光特性の光を前記空間に照射し、かつ、前記第一筐体の側面の周囲を一周する連続形状である第二発光部であって、光を発する第二光源部と、前記第二光源部の光を入射して表面発光することにより、前記第一照射部の前記配光特性と異なる配光特性の光を前記空間に照射する透明性の導光体とを有する第二発光部と
を備え、
前記照明装置は、
側方から見た場合に、前記導光体が前記第一筐体の底面に相当する領域を隠すと共に、
前記第二発光部は、
前記導光体の周囲に、前記導光体から照射された光を反射する反射部材を持たないことを特徴とする。
【発明の効果】
【０００９】
本発明の照明装置により、主光源と副光源とを有する照明装置において、空間的開放感、奥行き感、明るさ感などに係わる照明演出効果を備えた照明装置を提供できる。
【図面の簡単な説明】
【００１０】
【図１】実施の形態１の照明装置１１００を下方斜め方向から見込んだ斜視図。
【図２】実施の形態１の照明装置１１００を上方斜め方向から見込んだ斜視図。
【図３】実施の形態１の照明装置１１００の側面図。
【図４】実施の形態１の照明装置１１００を下方から見込んだ図。
【図５】実施の形態１における図４のＡ−Ａ断面図。
【図６】実施の形態１における図３のＢ−Ｂ断面図。
【図７】実施の形態１における図３のＢ−Ｂ断面図。
【図８】実施の形態１の第一光源部１２０、第一照射部１３０の構成例を示す断面図。
【図９】実施の形態１の第一ＬＥＤ実装基板１２１を示す図。
【図１０】実施の形態１における照明装置１１００の別の構成例を示す斜視図。
【図１１】実施の形態１における照明装置１１００の別の構成例を示す斜視図。
【図１２】実施の形態１における照明装置１１００の別の構成例を示す斜視図。
【図１３】実施の形態２の照明装置１２００を上方斜め方向から見込んだ斜視図。
【図１４】実施の形態２の照明装置１２００を上方から見込んだ平面図。
【図１５】実施の形態２の照明装置１２００を側方から見込んだ側面図。
【図１６】実施の形態２における図１４のＣ−Ｃ断面図。
【図１７】実施の形態３の照明装置１３００の側面図。
【図１８】実施の形態３の照明装置１３００を上方から見込んだ平面図。
【発明を実施するための形態】
【００１１】
実施の形態１．
図１〜図１２を参照して実施の形態１における照明装置１１００を説明する。
図１は、照明装置１１００を下方斜め方向から見込んだ斜視図である。
図２は、照明装置１１００を上方斜め方向から見込んだ斜視図である。
図３は、照明装置１１００の側面図である。
図４は、照明装置１１００を下方から見込んだ図である。
図５は、図４のＡ−Ａ断面図である。
図６は、図３のＢ−Ｂ断面図である。
図７は、図３のＢ−Ｂ断面図である。
図８は、第一光源部１２０、第一照射部１３０の構成例を示す断面図である。
図９は、第一ＬＥＤ実装基板１２１を示す図である。
図１０は、照明装置１１００の別の構成例を示す斜視図である。
図１１は、照明装置１１００の別の構成例を示す斜視図である。
図１２は、照明装置１１００の別の構成例を示す斜視図である。
【００１２】
（全体構成）
図２には、各部品の構成関係を符号で記載した。以下、図面を参照して、空間に光を照射する照明装置１１００の構成概要を説明する。
【００１３】
実施の形態１の照明装置１１００は、大きく、光を発する第一発光部１００（主発光部）と、第一発光部１００の円筒筐体１１０の側面から伸びる３本の支軸３００と、３本の支軸３００によって支持され、第一発光部１００と配光特性の異なる第二発光部２００（副発光部）とを備えている。また、図２に示すように、照明装置１１００は、電源供給線４００及び電源部５００（これらは第一発光部１００の円筒筐体１１０内部に収納される）を備える。
【００１４】
（第一発光部１００等）
図２に示すように、第一発光部１００は、円筒筐体１１０（第一筐体）、第一光源部１２０、第一光源部１２０の発する光を所定の配光特性に変換し、空間に照射する第一照射部１３０とを備える。後述するが、第一光源部１２０、第一照射部１３０は円筒筐体１１０内部に収納される。支軸３００は、一方の端部３００ａが円筒筐体１１０の側面に取り付けられ、他方の端部３００ｂが空間に伸びる形状である。図２に示すように、第一光源部１２０は、第一ＬＥＤ実装基板１２１、反射板１３１、第一光源用ケース１２２を備えている。第一光源部１２０の具体的な構成は、図８で後述する。
【００１５】
（第二発光部２００）
図２に示すように、第二発光部２００は、円筒筐体１１０の側面の周囲を一周する連続形状である。第二発光部２００は、第一発光部１００（第一照射部１３０）の配光特性と異なる配光特性の光を空間に照射する。第二発光部２００は、支軸先端筐体２１０、光を発する第二光源部２２０、導光体２３０を備えている。また後述のように第二発光部２００は、導光体２３０の周辺に拡散性透光部材２４０、光反射シート２５０を備えてもよい。また後述するが、導光体２３０は、導光部材２３１と、光拡散パタン２３２とから構成される。導光体２３０は、第二光源部２２０の発する光を入射して発光することにより、第一発光部１００の配光特性と異なる配光特性の光を空間に照射する。
第二発光部２００は、三本の支軸３００のそれぞれの他方の端部３００ｂに接続することで三本のそれぞれの支軸３００によって支持される。図２に示すように、三本の支軸３００は、一方の端部３００ａが、円筒筐体１１０の側面の周方向（Ｙ方向）に沿って取り付けられている。支軸先端筐体２１０、第二光源部２２０、導光体２３０からなる第二発光部２００は、三本の支軸３００の各他方の端部３００ｂに接続することで支持される。
【００１６】
図２、図４に示すように、第二発光部２００は、導光体２３０が、他方の端部３００ｂの位置に第二光源部２２０が配置された支軸３００である第二光源部配置軸（例えば図２、４で符号３００が付された支軸とする）の他方の端部３００ｂと、第二光源部配置軸に周方向（Ｙ方向）で前方に隣接する支軸の他方の端部３００ｂとを連結すると共に、第二光源部配置軸の他方の端部３００ｂと、第二光源部配置軸に周方向で後方に隣接する支軸の他方の端部３００ｂとを連結する。
【００１７】
なお第二発光部２００は、導光体２３０が、第二光源部配置軸の他方の端部３００ｂと、第二光源部配置軸に周方向で隣接する少なくとも一方の前記軸の前記他方の端部とを、連結する構成でもよい。例えば第二光源部配置軸の他方の端部３００ｂと、周方向（Ｙ方向）で前方に隣接する支軸の他方の端部３００ｂとを導光体２３０で連結し、周方向（Ｙ方向）で後方に隣接する支軸の他方の端部３００ｂとは連結部をもたいないか（導光体の部分が無い形状）、あるいは、後述の実施の形態３に示す第二光源部間支軸３００−１で連結（導光体２３０に第二光源部間支軸３００−１を代替）してもよい。
【００１８】
（第一光源部１２０）
図５、図８に示すように、第一発光部１００は、第一光源部１２０、第一照射部１３０を金属あるいは樹脂の円筒筐体１１０の内部に備えている。第一光源部１２０は、図２の部品構成に示すように、ＬＥＤなどの発光素子を実装した第一ＬＥＤ実装基板１２１、第一光源用ケース１２２からなる。
【００１９】
（第二光源部２２０）
図２の部品構成に示すように第二光源部２２０は、ＬＥＤ実装基板２２１、放熱性支持体２２２、リード線２２３を備える。また図４、図５等に示すように、支軸３００の先端には、ＬＥＤ発光素子（第一光源部１２０のＬＥＤと同じであっても異なるものでもよい）を有する第二光源部２２０が配置されている。第二光源部２２０は、複数の支軸３００のうちの少なくともいずれかの支軸の他方の端部３００ｂの位置に配置されている。図４の例では、第二光源部２２０は、三本の支軸３００の各端部３００ｂの位置に夫々配置されているが、少なくともいずれかの支軸３００の他方の端部３００ｂに配置されても構わない。
【００２０】
（電源部５００）
図５に示すように、第一発光部１００および第二発光部２００の光源に電源を供給する電源部５００が、円筒筐体１１０の内部に収められる。なお図１のように、電源部５００には、照明装置１１００の設置面（例えば天井面）から電源供給線４００（または、電源供給線を備えた器具取付け部）を介し電源供給される。
【００２１】
（第一光源部１２０）
以下、図８、図９を用いて、第一光源部１２０をさらに説明する。第一光源部１２０は、図１のように、主に直下方向の明るさを確保する光源部である。第一光源部１２０は、例えばＬＥＤパッケージ１０を用いて構成される。図８は、第一光源部１２０の縦断面構造例を示す。図９は、図８の第一光源部１２０をＸ方向から見た図である。第一光源部１２０は、図２の部品構成に示すように、ＬＥＤパッケージ１０を実装した第一ＬＥＤ実装基板１２１と、第一光源用ケース１２２とで構成される。また、第一光源部１２０には、第一ＬＥＤ実装基板１２１の周囲に設けられた反射板１３１、及び配光特性を調整するための「レンズ系、拡散シート、表面カバー」などからなる光学系部材１３２が取り付けられる。反射板１３１と光学系部材１３２とは、第一光源部１２０のＬＥＤパッケージ１０の発する光を所定の配光特性に変換し、空間に照射する第一照射部１３０を構成する。図８に示すように、第一光源用ケース１２２は、第一ＬＥＤ実装基板１２１、反射板１３１、光学系部材１３２を内部に収容する。図８に示す反射板１３１は、全部のＬＥＤパッケージ１０を囲むように設けているが、個々のＬＥＤパッケージ１０を囲む形状の反射板であってもよい。図８に示すような第一光源部１２０及び第一照射部１３０の構成により、主に直下方向の配光特性（ビーム角度など）が調整可能となり所望の光の広がりを実現できる。
【００２２】
図８、図９では第一光源部１２０にＬＥＤパッケージ１０を用いる例を説明したが、ＬＥＤパッケージ１０の代わりに、例えばハロゲン電球、白熱球、電球型蛍光ランプ、メタルハライドランプといった光源を用いてもよい。
【００２３】
（第二発光部２００）
次に第二発光部２００について説明する。第二発光部２００は、図４、図５等に示すように、支軸３００の先端（他方の端部）に配置された支軸先端筐体２１０の内部に第二光源部２２０を収納する。そして、図１、図２、図４等に示すように、支軸先端筐体２１０の間は，第二光源部２２０を光源として表面発光する導光体２３０を連結している。
【００２４】
図６、図７は、図３のＢ−Ｂ断面に相当する、支軸先端筐体２１０の内部構造を示す断面図である。図７は、第二発光部２００が、図６にたいして、さらに、拡散性透光部材２４０と光反射シート２５０とを備えた構成である。図６、図７は、第二光源部２２０と導光体２３０との接続部付近の横断面の構成を示している。照明装置１１００の導光体２３０は、図４に示すように、照明装置１１００の中心周りに約１２０度おきに配置された３本の支軸３００の間に配置された構成である。それぞれの導光体２３０は、照明装置１１００の中心１５まわりに高さの低い中空円筒を３分割したような円弧状の形態としている。照明装置１１００は、最外面となる第二発光部２００（３つの導光体２３０）が全面発光して「円形の帯状」となる。このため、図１のように取り付けられた場合、「円形の帯状」に発光するので、照明装置１１００は、見込む方向性によらずほぼ同じ外観が得られる。すなわち、「円形の帯状」に発光するので、どの方向から照明装置１１００を見上げても、発光状態の外観に極端な違いはなく、均一感がある。よって、任意照明空間に設置した場合でも形状による違和感が少なく、意匠性を高めることができる。
【００２５】
（第二光源部２２０の高効率）
横断面である図６の構成では、ＬＥＤ光源（ＬＥＤパッケージ１０）を実装した２つのＬＥＤ実装基板２２１を放熱性支持体２２２（放熱性部材））に背中合わせに配置し、これを第二光源部２２０としている。すなわち図６に示すように、２つのＬＥＤ実装基板２２１は、実装面に対して裏面となる背面が、放熱性支持体２２２を挟み、かつ、放熱性支持体２２２に密着している。また、一方のＬＥＤ実装基板２２１（図６で導光体２３０を描いている側）は、各ＬＥＤ発光面１１が、第二光源部配置軸の他方の端部３００ｂと、第二光源部配置軸に周方向で前方に隣接する支軸３００の他方の端部３００ｂとを連結する導光体２３０の端部の入光端面２３０ａに対向して配設されている。他方のＬＥＤ実装基板２２１（図６で導光体２３０を省略している側）は、各ＬＥＤ発光面１１が、第二光源部配置軸の他方の端部３００ｂと、第二光源部配置軸に周方向で後方に隣接する支軸３００の他方の端部３００ｂとを連結する導光体２３０（図６では省略）の端部の端面に対向して配設されている。ここでＬＥＤ点灯時、自己発熱による周囲温度上昇が顕著になると、一般にはＬＥＤの発光効率が低下する。そこで、それを抑制するためＬＥＤ実装基板２２１には例えば金属系やセラミックス系の放熱性基板を用い、さらに、放熱性支持体２２２も熱伝導率のよい金属等を用いる。また、支軸先端筐体２１０も、例えばアルミなどの放熱性材料で構成する。そして、放熱性支持体２２２の表面と支軸先端筐体２１０の内表面とが、広い面積で接触（破線で示す範囲１４）するように組み込む。この際、効率よく熱を支軸３００に伝えるため、放熱性支持体２２２と支軸３００の内表面の間に熱伝導性シート材料を挟む構成としてもよい。また、放熱性向上の面から、支軸先端筐体２１０に繋がっている支軸３００自体も、アルミなどの放熱性材料で構成してもよい。
【００２６】
（リード線）
ここで図５のように，第二光源部２２０の電源供給線（リード線２２３）は、支軸３００の内部を通して第一発光部１００内の電源部５００に繋がる構成としている。第二光源部２２０は、高周波点灯インバータが不可欠な蛍光ランプ管とは異なるＬＥＤを使用するため、リード線長が長くなっても安定駆動が得られる。よって、図４のように、複数位置（各支軸３００の先端位置）に光源を分散配置できる。
さらにＬＥＤ自体が小さい光源であるため、本例のような省スペース領域にも十分な発光量を備えたＬＥＤ光源を収納することができる。
【００２７】
（導光体２３０）
第二光源部２２０は、図６に示すように、ＬＥＤパッケージ１０のＬＥＤ発光面１１が、導光体２３０の端部（ＬＥＤの光が入光する入光端面２３０ａ）に対向するようにＬＥＤ実装基板２２１を配置する。
（１）導光体２３０は、例えばアクリルやポリカーボなどの透光性樹脂材料である導光部材２３１と、側面に細かい光拡散パタン２３２（シルク白色印刷、凹凸パタン形成など）とから構成される。図７の説明で後述するが、第二発光部２００は、導光体２３０に加えて、拡散性透光部材２４０や光反射シート２５０を備えてもよい。ＬＥＤ光１１ａは導光体２３０の入光端面２３０ａから導光体内に入射し、一部が導光体２３０の屈折率に従った正反射等により導光体内部を伝搬し、さらに一部の光は光拡散パタン２３２で反射し、光の方向性が変えられ導光体表面より発光する。光拡散パタン２３２の配置密度は、光源側の近くで疎、光源から遠い部分で密となるように構成する。この構成により、導光体上の輝度均斉度を高めることができる。
（２）また、導光体２３０の他の構成として、導光部材２３１を、内部に光拡散材を含んだ光拡散性の樹脂材料としてもよい。
（３）また、導光体２３０の入光端面２３０ａは入光効率を高めるため表面を磨いた状態とする。また、導光体２３０とＬＥＤパッケージ１０の接続付近は支軸先端筐体２１０で覆うように構成し、それら繋ぎ目での乱反射する光が照明装置１１００の外部へ漏れ出すことを防ぐ。
（４）本構成では、ＬＥＤパッケージ１０の発光面に対する導光体２３０の入光部厚みＨ（図２の寸法Ｈ）を厚くとれる（後述する図１１の円筒状の導光体の場合には導光体幅Ｂ２（図１１）も広くできる）。したがって、入光効率を高めることができ、第二発光部２００の発光効率を高めることができる。よって、第二発光部２００の奏でる照明演出効果を高めることができる。
（５）ここで図６に示すＬＥＤ実装基板２２１の表面２２１−１や支軸先端筐体２１０の裏側２１０ａを高反射面とすることで、光の利用効率を高めることができる。
（６）また支軸先端筐体２１０のＬＥＤ光源部を覆う幅Ｂ１（図２，図６に示す寸法Ｂ１）によって、支軸先端筐体２１０を斜め下方向から見込んだ際の光源イメージに強弱が得られる。すなわち、導光体２３０の導光部材２３１は透光性材料であるのでＬＥＤ実装基板２２１は外観において透けて見えるが、図６において、他の構造をそのままとして寸法Ｂ１を長く、あるいは短くすることで外観におけるＬＥＤ実装基板２２１の見え方が変わる。「支軸先端筐体２１０を斜め下方向から見込んだ際の光源イメージに強弱」とは、この意味である。意匠性を重視する場合には、意匠性に好都合な幅Ｂ１で外観的な調整をすればよく、また照明効率を重視する場合には例えば十分にＬＥＤを覆うように幅Ｈで調整を行えばよい。
【００２８】
図６の構成では、導光体２３０の外側表面に光学部材を設けていない。図６のように導光体２３０の外周側に何も光学部材を設けなければ、光拡散パタン２３２で反射する光が導光体外側表面、あるいは導光体内側で発光する。したがって、導光体２３０は、透明導光体でありながら消灯時は光拡散パタン２３２がうっすらと見えるような意匠効果を有しつつ、点灯時には照明装置１１００の内表面（円筒筐体１１０や支軸３００の表面など）や天井面方向を明るく照らすことができる。さらに、点消灯状態によらず導光体２３０は透光性であるので透けて見えるため、照明装置１１００の中心部や、支軸３００、導光体２３０の反対側の空間も視界に入れることができる。よって、開放感や奥行き感を備える、意匠性に優れた照明装置を提供できる。また消灯時には、導光体２３０の備える光拡散パタン２３２が陰影として浮かび上がる。これも照明装置１１００に高い意匠性を与える要素であり、光拡散パタン２３２に点在する微小拡散パタン自体を、規則的な模様や意味のある形状（例えば花柄など）に形成してもよい。
【００２９】
（１）以上のように構成した照明装置１１００においては、照明装置１１００を見込む際、図１に示すように、支軸３００の間から天井面を視界に入れることができる（構成次第では本装置の照明光により照明された天井面を見ることができる）。よって、照明装置１１００を吊り下げて使用するような場合でも、空間開放感や空間明るさ感を十分に与えることが可能である。なお、照明装置１１００は必ずしも吊り下げる形で使用する必要はなく、第一発光部１００を天井直下付けや埋め込み可能な構成としてもよい。
（２）さらに外観的には、照明装置１１００は図１に示すように帯状の導光体２３０を備える構成であるため、装置中心部（第一発光部１００、支軸３００など）を照明する効果や、装置側面側への広配光効果を有する。
（３）また、照明装置１１００では、透光性の導光体２３０の表面から発する光は周囲に柔らかい光を与える。よって、異なる配光特性の第一発光部１００の光との配光バランス（調和）を考慮しながら、被照面の中心や、周辺の照度分布調整が可能となる。
（４）また、導光体２３０の周囲に拡散カバー（拡散性透光部材）や反射材料を設けない構成とすれば、透光性の導光体２３０から離れた位置にある円筒筐体１１０や、天井面などを、導光体２３０の発光によって照明された状態で観察できる。
（５）また、照明装置１１００を点灯しない場合でも、導光体２３０が透明性を有するため、やはり空間の開放感を与える効果を有する。
（６）よって、照明装置１１００によれば、以上のような従来にない照明演出効果を有する照明器具を提供できる。
【００３０】
（拡散性透光部材２４０、光反射シート２５０）
図７は、第二発光部２００が、導光体２３０の周囲近傍に、拡散性透光部材２４０、光反射シート２５０を有する構成である。すなわち図７のように、第二発光部２００は、導光体２３０の外表面側に拡散性透光部材２４０と、内表面側（円筒筐体側に面する導光体２３０の内側）に光反射シート２５０（反射部材）との何れか、あるいは両者を備える構成としてもよい。光反射シート２５０を配置することによって、導光体２３０の内側発光機能を無くすかわりに表面側へ効率よく光照射を行うことができる。また、導光体２３０の外表面側に拡散性透光部材２４０を配置することによって、表面の見た目の発光強度を均斉化させる効果を得ることができる。
【００３１】
また、導光体２３０は、図２に示す上側端面２３０ｂ、下側端面２３０ｃにはとくに反射部材を設けず、表面にやや凹凸がある状態で光が抜けるような構成としている。この場合、上側端面２３０ｂにおいて上方向に発光する光は天井面を柔らかく照明する効果を有し、装置周辺の空間の明るさ感を向上させる。また下側端面２３０ｃから出る光は中央の第一発光部１００（円筒筐体１１０の底面）からの光と共に発光面となるので、装置の明るさ感が向上するとともに、従来にない空間演出を行うことがきできる。反対に、上下端面を高反射材で塞ぐと、逆に導光体２３０の側面への発光効率の良好な照明装置を提供できる。
【００３２】
（第二発光部形状のバリエーション）
照明装置１１００は支軸３００が３本の構成を示したが、支軸３００の数は３本に限らない。図１０に示すように、例えば４本とし、第二発光部２００の外観も四角形とするように構成してもよい。さらに、照明装置１１００は、図１、図２に示すように、外観的には高さ方向（Ｈ方向）に広い帯状の円環導光体を用いたが、図１１に示すような、逆に幅方向（寸法Ｂ２方向）に広い円環導光体を用いてもよい。あるいは図１２に示すように、チューブ状（断面が円、楕円、多角形）の円環導光体を用いてもよい。これら、図１０〜図１２に示す形状の導光体を使用しても、照明装置１１００と同様の効果を得ることができる。
【００３３】
（側面形状）
また、図３のように、照明装置１１００を側面から見込んだ際に、第二発光部２００の発光面の内部（導光体の領域内部）に、第一発光部１００の発光面１１０ａ（円筒筐体１１０の底面）が含まれるように構成する。それにより側面方向から見て、直接、発光面１１０ａから照射される光（第二光源部２２０と異なる配光の光）が視野に入ることを防ぐことができる。さらに、第二発光部２００（導光体）の発する光で円筒筐体１１０や支軸３００を柔らかく照明することができ、意匠的に優れた照明装置を提供できる。すなわち第一発光部１００は、円筒筐体１１０の発光面１１０ａから所定の配光特性の光を第一照射部１３０によって空間に照射する。そして照明装置１１００は、側方から見た場合に、導光体２３０が円筒筐体１１０の発光面１１０ａ（底面に相当する領域）を隠す。また、第一発光部１００に対する第二光源部２２０の相対位置を、調整可能な構成としてもよい。すなわち、図３において支軸先端筐体２１０、第二光源部２２０及び導光体２３０からなる第二発光部２００を円筒筐体１１０に対して上下に調整可能な構成とする。第一発光部１００に対して第二発光部２００の相対位置を調整することで、装置配光や装置中心部（円筒筐体１１０や支軸３００）の照明状態を変えることができるので、空間に応じた照明環境を提供できる。
【００３４】
（光源の光色）
また、照明装置１１００の第一光源部１２０と第二光源部２２０とは、光源の光色が異なるように構成してもよい。例えば、ＪＩＳ照明色の光色を適用する例として、第一光源部１２０のＬＥＤ光色を温白色とし、第二光源部２２０のＬＥＤを電球色として構成する。照明装置１１００の適用空間に応じ、異なる光色バランスを与えることで多様な照明演出効果を与えることができる。また各光源に高演色性の光源を用いることで、例えばダイニング設置用途に使用する場合にも、被照明体の演色効果（色再現性）を高めることができ、照明装置１１００の演色効果をさらに向上できる。
【００３５】
（個別調光）
また、第一光源部１２０と第二光源部２２０とを個別に調光可能な構成としてもよい。例えば第一光源部１２０と第二光源部２２０とに調光可能な点灯装置を個別に設ける。照明装置１１００の設置シーンに応じて装置中心下方を主に明るくしたり（第一光源部１２０を明るく、第二光源部２２０の明るさを抑えて使用するなど）、逆に装置中心下方を暗くしたり（第一光源部１２０を暗くし、第二光源部２２０をやや明るめに調整するなど）することも可能である。本構成により、２つの光源を異なる強度バランスで発光させることができるため、多様な照明演出効果を与えることができる。これは両者光源の光色が異なる場合でも、やはり照明空間演出の幅を広げることができる。また、照明装置１１００内にタイマや演算装置を設けることで、例えば生活シーン、天候、時刻に合わせたような自動調光／調色にも対応可能でき、装置外部にスライドスイッチ等を設けるような構成とすれば手動調光／調色も可能である。
【００３６】
実施の形態２．
図１３〜図１６は、実施の形態２の照明装置１２００を示す。照明装置１２００は照明装置１１００と第二発光部２００の構成が異なる。
図１３は、照明装置１２００を上方斜め方向から見込んだ斜視図である。
図１４は、照明装置１２００を上方から見込んだ平面図である。
図１５は、照明装置１２００を側方から見込んだ側面図である。
図１６は、図１４のＣ−Ｃ断面図である。
【００３７】
照明装置１２００は、図１３に示すように、支軸３００に支持されたリング形状（円環形状）のリング形状筐体２１０−１と、リング形状筐体２１０−１（導光体支持部）と同様のリング形状の導光体２３０−１とを備えている。また、図１６に示すように、光源となるＬＥＤパッケージ１０がリング形状筐体２１０−１と導光体２３０−１との間に挟まれて配置される。照明装置１２００は、第二発光部２００の光源にＬＥＤパッケージ１０を使用すると共に、そのＬＥＤパッケージ１０が導光体２３０の上部に、複数配置される。例えば、第二発光部２００の支軸３００の先端の位置（図１３の破線で示す範囲１６〜１８）に、ＬＥＤパッケージ１０が複数個ずつ配置される。図１４に示すＬＥＤパッケージ１０を実装したＬＥＤ実装基板２２１−１は、リング形状筐体２１０−１と同様のリング形状である。
【００３８】
このように第二発光部２００は、導光体２３０−１と、リング形状筐体２１０−１と、第二光源部２２０を備えている。導光体２３０−１は、円筒筐体１１０の側面の周囲を一周する連続形状であり、第二光源部２２０の光を入射して発光することにより、第一照射部１３０の配光特性と異なる配光特性の光を空間に照射する。リング形状筐体２１０−１は、複数の支軸３００によって支持されると共に、導光体２３０−１の連続形状に対応した形状をなし、導光体２３０−１を下面で支持する。第二光源部２２０は、図１６に示すように、リング形状筐体２１０−１の下面と導光体２３０−１とによって上下方向から挟まれ、かつ、リング形状筐体２１０−１の周方向に沿って複数配置され、発光面が導光体２３０−１に対向する複数のＬＥＤパッケージ１０を有する。
【００３９】
ＬＥＤ実装基板２２１−１は必ずしも導光体２３０−１の横断面と同じ円環形状でなくてもよく、短い長方基板にＬＥＤを数個実装し、それを複数連結されるように構成したものでもよい。この構成において、導光体２３０−１は、前述のとおり、少なくとも片側（内周側）の広い側面に光拡散パタン２３２を有する、例えば円筒状の透光性導光体である。
【００４０】
本構成においては、ＬＥＤパッケージ１０から発する光は、円筒の導光体２３０−１を下方に向けて進む。したがって、円筒の導光体２３０−１の下部に反射部材を設けなければ、導光体２３０の下部も発光部として、やや強めの光を発する発光部となる。一方で、下方に放射される光を抑え、導光体２３０−１の側面からの照射光を強めたい場合には、導光体２３０−１の下側端面２３０ｃに反射部材を配置し、その反射光を導光体内で再利用する構成とする。
【００４１】
以上のように実施の形態２の照明装置１２００でも、実施の形態１の照明装置１１００と同様に、多様な照明演出効果を有する照明装置を提供できる。また、第二光源部２２０のＬＥＤパッケージ１０の配置が、ＬＥＤ実装基板２２１−１を上側に配置する構成となる。このため、ＬＥＤ実装基板２２１−１とリング形状筐体２１０−１とを放熱性材料で構成し、ＬＥＤ実装基板２２１−１の熱をリング形状筐体２１０−１に放熱させる構造とする。この構造によりＬＥＤパッケージ１０の温度上昇を避けることができるので、発光効率のよい照明装置を提供できる。
【００４２】
またリング形状筐体２１０−１の上面のところどころに光を通す穴を設ける構成とする。この構成であれば、穴からの漏れ光を第二発光部２００上面から天井に向けて照射することができるので、趣の異なる演出効果を有する照明装置を提供できる。このように、リング形状筐体２１０−１は、導光体２３０−１から照射された光を通過させる複数の穴が形成されている。
【００４３】
実施の形態３．
図１７、図１８を参照して、実施の形態３の照明装置１３００を説明する。照明装置１３００は照明装置１１００と第二発光部２００の構成が異なる。照明装置１３００は、第二発光部に、第一発光部を小型にした形状の発光部を用い、各発光部を支軸先端筐体２１０−２で連結する構成である。外観は、図１に近似するが、図１７、図１８に示すように、支軸３００のセンタに円筒筐体１１０を小型にしたような発光部を有する。
【００４４】
図１７は、照明装置１３００の側面図である。
図１８は、照明装置１３００の上面図（天井側から見た図）である。
照明装置１３００は、第一発光部１００に図８の構成を用い、第二光源部２２０にはスポット的あるいはやや拡散気味に発光するＬＥＤ光源として用い、複数の支軸３００の先端部に設ける。すなわち、第二光源部２２０は第一発光部１００の小型版である。図１７、図１８のように、照明装置１３００は、図８の構成の第一発光部１００と、３本の支軸３００と、第二発光部２００とからなる。
【００４５】
第二発光部２００は、円筒形状の支軸先端筐体２１０−２と、第二光源部２２０と、第二光源部２２０（反射板及び光学系部材も含む）が収容された支軸先端筐体２１０−２どうしを連結する第二光源部間支軸３００−１とから構成される。第二光源部間支軸３００−１は発光機能を持たない。第二光源の収納された支軸先端筐体２１０−２は、円筒筐体１１０と同様に、先端部領域内（底面）が装置下向きに光を照射する。
【００４６】
なお、支軸先端筐体２１０−２については、側面全体を発光させる構成でもよい。例えば、支軸先端筐体２１０−２の上部にＬＥＤを配置し、外周に薄板の導光体を二重円筒のように配置するようにしてもよいし、後述するフレキシブルな有機ＥＬを支軸先端筐体２１０−２の外周に配置してもよい。
【００４７】
照明装置１３００の構成であれば、第一発光部１００と第二発光部２００との配光特性の違いを利用した照明演出効果の高い照明装置を提供できる。なお、照明装置１３００の構成において、第二発光部２００内のＬＥＤ光源部はその固定角度調整を可能にするなどして、配光調整可能としてもよい。その場合にも所定領域の照度調整が可能になるため、固定角度調整のない場合とは異なる演出効果を有する。
【００４８】
実施の形態４．
以上の実施の形態１〜３の照明装置では、第一発光部１００及び第二発光部２００の光源を両者ともＬＥＤで構成した例を示したが、少なくとも何れかの光源を有機ＥＬ（有機ＬＥＤ）としてもよい。有機ＬＥＤはＬＥＤと同様に直流駆動が可能であり、さらに薄型面光源の利点を活用できる。例えば、第一光源部１２０に有機ＥＬを用いることでかなり薄型発光部とすることができる。とくに円筒筐体１１０を、円筒形状に限らず（円筒形状の場合も含めて）コンパクトな形状にできるので、意匠性に優れた装置を提供できる。
【００４９】
さらに、実施の形態１〜３の照明装置において以下のように有機ＥＬを用いることができる。
（１）第二発光部２００の光源にフレキシブルな有機ＥＬを用い、円筒状に固定して使用してもよい。
（２）また、片側発光の有機ＥＬを外側方向にのみ外側発光タイプとして使用し、または、内側にも用いることで背中合わせで用い、両面発光タイプとして適用してもよい。
（３）あるいは、透光性の両面発光タイプの有機ＥＬを用いて両面発光タイプとして適用することもできる。その場合に、装置には上述した円筒導光体を用いたような装置と類似する外観や照明効果を持たせることができるとともに、面状の発光体であるため比較的容易に作ることが可能である。
（４）さらに第二発光部２００に適用の場合には導光体を利用するよりも、かなり薄い発光面を得られるため、高い意匠性、演出効果を有する照明装置を提供できる。
【符号の説明】
【００５０】
１０  ＬＥＤパッケージ、１１  ＬＥＤ発光面、１４  範囲、１５  中心、１６，１７，１８  範囲、１１００，１２００，１３００  照明装置、１００  第一発光部、１１０  円筒筐体、１１０ａ  発光面、１２０  第一光源部、１２１  第一ＬＥＤ実装基板、１２２  第一光源用ケース、１３０  第一照射部、１３１  反射板、１３２  光学系部材、２００  第二発光部、２１０  支軸先端筐体、２１０ａ  裏側、２１０−１  リング形状筐体、２１０−２  支軸先端筐体、２２０  第二光源部、２２１  ＬＥＤ実装基板、２２２  放熱性支持体、２２３  リード線、２３０  導光体、２３０ａ  入光端面、２３０ｂ  上側端面、２３０ｃ  下側端面、２３０−１  導光体、２３１  導光部材、２３２  光拡散パタン、２４０  拡散性透光部材、２５０  光反射シート、３００  支軸、３００ａ，３００ｂ  端部、３００−１  第二光源部間支軸、４００  電源供給線、５００  電源部。
【図１】
2014112556.tif 000003
【図２】
2014112556.tif 000004
【図３】
2014112556.tif 000005
【図４】
2014112556.tif 000006
【図５】
2014112556.tif 000007
【図６】
2014112556.tif 000008
【図７】
2014112556.tif 000009
【図８】
2014112556.tif 000010
【図９】
2014112556.tif 000011
【図１０】
2014112556.tif 000012
【図１１】
2014112556.tif 000013
【図１２】
2014112556.tif 000014
【図１３】
2014112556.tif 000015
【図１４】
2014112556.tif 000016
【図１５】
2014112556.tif 000017
【図１６】
2014112556.tif 000018
【図１７】
2014112556.tif 000019
【図１８】
2014112556.tif 000020